(57)【要約】【課題】体腔内への内視鏡の挿入が一度ですみ、しかも病変部の全体を確実に持ち上げることができ、病変部を残存させることなく切除することが可能な内視鏡処置具を提供すること。【解決手段】本発明の内視鏡処置具１０は、先端部が互いに対向しており、基部１４で結合された開閉自在な一対の爪部１２、１３と、内部に前記一対の爪部が挿入され、前記一対の爪部に沿って相対的に移動可能に設けられた前記爪部を閉じることができる押えリング１６と、前記押えリング内に挿入され、一方側の端部に切り欠き孔１８及び他方側の端部に係合孔１９が設けられ、前記切り欠き孔に前記一対の爪部の基部が取り外し可能に係合された連結板１７と、を備える把持具１１と、前記一対の爪部の基部に接続され、前記押えリング内を通って伸びている極細の糸１５とからなる。【選択図】  図１
2007143869.tif 000002
【特許請求の範囲】
【請求項１】
先端部が互いに対向しており、基部で結合された開閉自在な一対の爪部と、内部に前記一対の爪部が挿入され、前記一対の爪部に沿って相対的に移動可能に設けられた前記爪部を閉じることができる押えリングと、前記押えリング内に挿入され、一方側の端部に切り欠き孔及び他方側の端部に係合孔が設けられ、前記切り欠き孔に前記一対の爪部の基部が取り外し可能に係合された連結板と、を備える把持具と、
前記一対の爪部の基部に接続され、前記押えリング内を通って伸びている極細の糸と、
からなること特徴とする内視鏡処置具。
【請求項２】
前記把持具は少なくとも表面が電気絶縁性材料からなることを特徴とする請求項１に記載の内視鏡処置具。
【請求項３】
前記把持具の表面は窒化硅素又は酸化硅素からなる電気絶縁性材料により被覆されていることを特徴とする請求項２に記載の内視鏡処置具。
【請求項４】
先端部が互いに対向しており、基部で結合された開閉自在な一対の爪部と、内部に前記一対の爪部が挿入され、前記一対の爪部に沿って相対的に移動可能に設けられた前記爪部を閉じることができる押えリングと、前記押えリング内に挿入され、一方側の端部に切り欠き孔及び他方側の端部に係合孔が設けられ、前記切り欠き孔に前記一対の爪部の基部が取り外し可能に係合された連結板と、を備える把持具と、
前記一対の爪部の基部に接続され、前記押えリング内を通って伸びている極細の糸と、
前記連結板の係合孔に係合する部材を備えた固定部材と、
前記固定部材に結合された操作ワイヤと、
先端に前記固定部材を挿入できるとともに前記把持具の押えリングを保持でき、かつ、内部に前記操作ワイヤが通された第１の可撓性シースと、
内部に前記第１の可撓性シース及び極細の糸が挿入された第２の可撓性シースを備えていることを特徴とする内視鏡処置具。
【請求項５】
前記一対の爪部及び押えリングは、少なくとも表面が電気絶縁性材料からなることを特徴とする請求項４に記載の内視鏡処置具。
【請求項６】
前記把持具の表面は窒化硅素又は酸化硅素からなる電気絶縁性材料により被覆されていることを特徴とする請求項５に記載の内視鏡処置具。
【発明の詳細な説明】
【技術分野】
【０００１】
この発明は、内視鏡的粘膜切除術（Endoscopic mucosal resection：ＥＭＲ）や内視鏡的粘膜下層剥離術（Endoscopic Submucosal Dissection：ＥＳＤ）等に使用する内視鏡処置具に関し、特に早期胃癌等の病変部を切除する際に病変部を隆起させて病変部の下層を剥離しやすくする内視鏡処置具に関する。
【背景技術】
【０００２】
従来から胃の中に挿入シースを挿入する内視鏡を用いて早期胃癌の病変部を切除することが行われている。この早期胃癌切除術では、ＥＭＲに加えて、大きな病変部を切除するために高周波ナイフ（ＩＴナイフ、フレックスナイフ、フックナイフ等）を用いて病変粘膜を剥離するＥＳＤが普及している。ＥＳＤでは、内視鏡手術によって胃に穴が開く胃壁穿孔率が４％と高率であるため、安全に病変部を切除することが課題となっている。このため、早期胃癌等の病変部を切除する場合、粘膜下層と筋層との間に生理食塩水を注入して病変部を隆起させ、スネアや高周波ナイフを用いて粘膜下層の切開、剥離を行ってきた。
このような早期胃癌等の病変部の典型的な切除方法を図７〜図９を用いて説明する。なお、図７（ａ）〜図７（ｄ）は従来の病変部を切除中の操作を示す斜視図であり、図８は図７（ｂ）のＡ−Ａ断面図、図９は図７（ｃ）のＢ−Ｂ断面図である。
【０００３】
まず、図７（ａ）に示したように内視鏡下において病変部５１の周囲数カ所にマーキング５２を施し、次いで、図７（ｂ）及び図８に示したように、このマーキング５２点を目標にして粘膜層５３と筋層５４との間に生理食塩水５５を適宜量注入して病変部５１を隆起させる。その後、図７（ｃ）及び図９に示したように、ＩＴナイフ５６を用いて病変部５１の周囲を切開し、必要に応じて図示しない他の高周波ナイフ、フックナイフ等により病変部５１と筋層５４とを剥離する。そして、図７（ｄ）に示したように、切除された病変部５１を回収用ネットや三脚、五脚を用いて捕獲し、内視鏡を引き抜いて病変部５１を回収する。この場合、図示しない内視鏡の一つの処置具誘導チャンネルから生理食塩水注入具、ＩＴナイフ、スネア等の内視鏡処置具を相互に交換して挿入することにより処置が行われる。
【０００４】
しかしながら、上述のような生理食塩水を局所注入して病変部を隆起させた場合、注入された生理食塩水は時間の経過とともに粘膜下層に拡散するので、人工的に形成した粘膜隆起は徐々に平坦になって行く。病変部の切開、剥離には十分な病変部の隆起が必要であり、この病変部の隆起が十分でないと筋層の穿孔の可能性が高くなる。従って、病変部を切除する場合、局所注入した生理食塩水が拡散して粘膜隆起が平坦になった場合、再度生理食塩水を局所注入したり、保水能力の高いヒアルロン酸を局所注入して病変部を隆起させることが行われているが、他の手段を併用して隣接する筋層ないしは正常組織との間の間隔を広げることも知られている。
【０００５】
たとえば、下記特許文献１には、病変部を剥離しやすい状態とするために、磁気アンカーとクリップとを組み合わせて病変部を持ち上げる磁気アンカー誘導装置の発明が開示されている。そこで、以下においてこの下記特許文献１に開示されている磁気アンカー誘導装置を図１０を用いて説明する。なお図１０は胃内における磁気アンカー誘導装置の使用状況を示す図である。
【０００６】
この磁気アンカー誘導装置６０は、病変部６１に取り付けられたクリップ６２と、このクリップ６２に対して連結部６３を介して取り付けられた磁気アンカー６４と、外部から磁気アンカー６４に駆動力を与える磁気誘導体６５とを備えている。この磁気アンカー誘導装置６０は次のような操作により病変部６１を持ち上げる。まず、従来の方法と同様にして、内視鏡６６を用いて病変部６１の下部に生理食塩水６７を注入することにより病変部６１を隆起させる。次いで、把持鉗子６８によってクリップ６２を病変部６１に取り付ける。次いで、内視鏡６６を引き抜き、把持鉗子６８に磁気アンカー６４を取付け、再度内視鏡６６を挿入し、外部の磁気誘導体６５を操作することにより磁気アンカー６４を患部の所定位置に固定する。
【０００７】
その後、内視鏡６６を引き抜き、把持鉗子６８に連結部６３を取付け、再度内視鏡６６を挿入し、患部内で連結部６３の一端をクリップ６２に取り付けるとともに連結部６３の他端を磁気アンカー６４に取り付ける。この状態で外部から磁気誘導体６５を操作してクリップ６２を引っ張ることにより病変部６１を持ち上げることができ、この状態でＩＴナイフ等により病変部を安全に切除することが可能となるというものである。
【０００８】
また、下記特許文献２には、図１１に示したように、１本の内視鏡用チャンネル７１と２本の処置具誘導挿入具チャンネル７２を有する誘導シース７３を使用し、２本の処置具誘導挿入具チャンネル７２からそれぞれ挿入された２本の鉗子７４、７５により病変部を持ち上げ、１本の内視鏡用チャンネル７１から挿入された内視鏡７６内を通された電気メス７７により病変部を切除する内視鏡治療装置７０が開示されている。
【特許文献１】特開２００４−１０５２４７号公報（特許請求の範囲、段落［００２５］〜［００３３］、図６〜図１１）
【特許文献２】特開２０００−３２５３０３号公報（特許請求の範囲、段落［００１３］〜［００２０］、図１〜図４）
【発明の開示】
【発明が解決しようとする課題】
【０００９】
しかしながら、上記特許文献１に開示されている磁気アンカー誘導装置６０は、クリップ６２の病変部６１への取付け、クリップ６２と磁気アンカー６４との取付け、外部の磁気誘導体６５の操作により磁気アンカー６４を患部の所定位置への固定及び外部の磁気誘導体６５の操作による病変部の持ち上げといった多段階の操作が必要であり、また磁気アンカー６４のサイズが大きいために病変部６１の持ち上げまでに複数回の内視鏡６６の抜き差しが必要であり、しかも、外部の磁気誘導体６５の操作には磁気アンカー誘導装置６０を操作する人が操作することができないために、別の人が操作する必要があり、操作が煩雑で手間がかかるという問題点が存在しており、現在は一般的には普及していない。
【００１０】
また、上記特許文献２に開示されている内視鏡治療装置７０は、２本の処置具誘導挿入具チャンネル７２からそれぞれ挿入された２本の鉗子７４、７５により病変部を持ち上げるようにしているが、このような構成では処置具誘導挿入具チャンネルの数が増えた分だけ誘導シース７３の外径が大きくなるため、患者の苦痛が大きくなるという問題点が存在している。
【００１１】
更に、特許文献１に開示されている磁気アンカー誘導装置６０や特許文献２に開示されている内視鏡治療装置７０では、病変粘膜周辺に病変部が残存する場合がある問題点も存在している。
【００１２】
本願の発明者は、上述のような従来例の問題点を解決し得る内視鏡処置具を得るべく種々検討を重ねた結果、病変部の周囲を複数の把持具によって把持した状態で把持具を持ち上げることにより、病変部の全体をテントのように吊り上げることができるため、煩雑な操作を必要としないで病変部全体の隆起を行うことができると共に病変部全体の切除を容易に行うことができること、及び、これらの操作を極細の糸を用いて行うことにより、内視鏡の取り出しや再挿入を行うことなく、１つの内視鏡処置具誘導チャンネルから複数の把持具を取り出すことができるため、内視鏡処置具誘導チャンネルの数や径を大きくする必要がなくなり、患者に与える苦痛を減らすことができることを見出し、本発明を完成するに至ったのである。
【００１３】
すなわち、本発明は、体腔内への内視鏡の挿入が一度ですみ、しかも病変部の全体を確実に持ち上げることができ、以て病変部を残存させることなく容易に切除することが可能な内視鏡処置具を提供することを目的とする。
【課題を解決するための手段】
【００１４】
本発明の上記目的を達成するため、請求項１に係る内視鏡処置具の発明は、
先端部が互いに対向しており、基部で結合された開閉自在な一対の爪部と、内部に前記一対の爪部が挿入され、前記一対の爪部に沿って相対的に移動可能に設けられた前記爪部を閉じることができる押えリングと、前記押えリング内に挿入され、一方側の端部に切り欠き孔及び他方側の端部に係合孔が設けられ、前記切り欠き孔に前記一対の爪部の基部が取り外し可能に係合された連結板と、を備える把持具と、
前記一対の爪部の基部に接続され、前記押えリング内を通って伸びている極細の糸と、
からなること特徴とする。
【００１５】
また、請求項２に係る発明は、請求項１に記載の内視鏡処置具において、前記把持具は少なくとも表面が電気絶縁性材料からなることを特徴とする。
【００１６】
また、請求項３に係る発明は、請求項２に記載の内視鏡処置具において、前記把持具の表面は窒化硅素又は酸化硅素からなる電気絶縁性材料により被覆されていることを特徴とする。
【００１７】
更に、請求項４に係る内視鏡処置具の発明は、
先端部が互いに対向しており、基部で結合された開閉自在な一対の爪部と、内部に前記一対の爪部が挿入され、前記一対の爪部に沿って相対的に移動可能に設けられた前記爪部を閉じることができる押えリングと、前記押えリング内に挿入され、一方側の端部に切り欠き孔及び他方側の端部に係合孔が設けられ、前記切り欠き孔に前記一対の爪部の基部が取り外し可能に係合された連結板と、を備える把持具と、
前記一対の爪部の基部に接続され、前記押えリング内を通って伸びている極細の糸と、
前記連結板の係合孔に係合する部材を備えた固定部材と、
前記固定部材に結合された操作ワイヤと、
先端に前記固定部材を挿入できるとともに前記把持具の押えリングを保持でき、かつ、内部に前記操作ワイヤが通された第１の可撓性シースと、
内部に前記第１の可撓性シース及び極細の糸が挿入された第２の可撓性シースを備えていることを特徴とする。
【００１８】
また、請求項５に係る発明は、請求項４に記載の内視鏡処置具において、前記一対の爪部及び押えリングは、少なくとも表面が電気絶縁性材料からなることを特徴とする。
【００１９】
また、請求項６に係る発明は、請求項５に記載の内視鏡処置具において、前記把持具の表面は窒化硅素又は酸化硅素からなる電気絶縁性材料により被覆されていることを特徴とする。
【発明の効果】
【００２０】
本発明は上記のような構成を備えることにより、以下に述べるような優れた効果を奏する。すなわち、請求項１の発明によれば、把持具を病変部に押し当てて押えリングを移動させて爪部を閉じることにより把持具の爪部及び押えリング部分で病変部を把持することができ、連結板を爪部の基部から取り外すと一対の爪部及び押えリング部分が病変部を把持したまま残存する。しかも、一対の爪部の基部には極細の糸が接続されているから、この状態で極細の糸を引っ張ると病変部を持ち上げることができるようになるため、別途ＩＴナイフやフックナイフ等の高周波ナイフを用いた病変部の切開が容易になり、筋層穿孔の可能性を非常に小さくすることができる。
【００２１】
また、請求項２に係る発明によれば、高周波ナイフには高周波電流が流れているから、把持具の少なくとも表面を電気絶縁性材料からなるものとすることにより、高周波ナイフとの接触による短絡や発熱がなくなり、安全性が向上すると共に患者の正常組織に与える悪影響を少なくすることができる。
【００２２】
また、請求項３に係る発明によれば、窒化硅素や酸化硅素は良質な電気絶縁性物質であり、例えばプラズマＣＶＤ（Chemical Vapor Deposition）法等により簡単に電気絶縁性物質からなる被膜を形成することができる。
【００２３】
更に、請求項４に係る発明によれば、内視鏡処置具は内視鏡の鉗子挿入口から差し込まれて病変部の近傍まで誘導されて使用されるが、第１のシースを操作して把持具を病変部に押し当て、次いで操作ワイヤを引っ張ると押えリングが一対の爪部の方向に押し出されるために一対の爪部が閉じられ、把持具の一対の爪部で病変部を把持することができる。この状態では一対の爪部の基部は押えリングの端部より露出するから、連結板を基部から外すことができ、結果として把持具のうち一対の爪部及び押えリングが病変部を把持したまま残存する。しかも、一対の爪部の基部に接続されている極細の糸が第１の可撓性シースと第２の可撓性シースの間を通されているから、内視鏡処置具全体をこの内視鏡処置具が挿入された内視鏡から引き抜くと、一対の爪部の基部から延びている極細の糸は内視鏡の鉗子挿入口より外部に導出された状態となる。ここで、外部からこの極細の糸を引くことにより病変部を引き上げることができ、別途ＩＴナイフやフックナイフ等の高周波ナイフを用いた病変部の切開が容易になり、筋層穿孔の可能性を非常に小さくすることができる。
【００２４】
加えて、引き抜いた内視鏡処置具に別の把持部を取り付け、或いは、別途予め把持具を取り付けた内視鏡を再度内視鏡の鉗子挿入口より挿入し、上記と同様の操作を行うことにより別の把持具の一対の爪部及び押えリング部分により再度病変部を把持することができる。
【００２５】
この操作を繰り返すことにより、内視鏡の取り出しや再挿入を行うことなく、複数個の把持具の一対の爪部及び押えリング部分で病変部を把持でき、しかもこれらの複数個の把持具の一対の爪部の基部に接続された複数本の極細の糸は全て内視鏡の鉗子挿入口より外部に導出されているから、これらの複数本の極細の糸を外部から引くことにより、特に煩雑な操作を必要とせずに病変部全体の隆起を行うこともできるため、別途高周波ナイフ等を用いて病変部の残存が無く、かつ、病変部全体の切除を容易に行うことができるとともに、筋層穿孔の可能性を更に小さくすることができる。
【００２６】
また、請求項５に係る発明によれば、高周波ナイフには高周波電流が流れているから、把持具の少なくとも表面を電気絶縁性材料からなるものとすることにより、高周波ナイフとの接触による短絡や発熱がなくなり、安全性が向上すると共に患者の正常組織に与える悪影響を少なくすることができる。
【００２７】
また、請求項６に係る発明によれば、窒化硅素や酸化硅素は良質な電気絶縁性物質であり、例えばプラズマＣＶＤ（Chemical Vapor Deposition）法等により簡単に電気絶縁性物質からなる被膜を形成することができる。
【発明を実施するための最良の形態】
【００２８】
以下、本発明を実施するための最良の形態を実施例により詳細に説明する。ただし、以下に示す実施例は、本発明の技術思想を具体化するための内視鏡処置具を例示するものであって、本発明をこの実施例に特定することを意図するものではなく、本発明は特許請求の範囲に示した技術思想を逸脱することなく種々の変更を行ったものにも均しく適用し得るものである。なお、以下の実施例においては、図７〜図９に示した従来例と同一の構成部分には同一の参照符号を付与して説明する。
【実施例１】
【００２９】
実施例の内視鏡処置具を図１〜図３を用いて説明する。なお、図１は実施例の内視鏡処置具の分解斜視図であり、図２は実施例の内視鏡処置具の組立後の斜視図であり、また、図３は図２の内視鏡処置具を使用するための取付具の一部拡大斜視図である。
【００３０】
この実施１の内視鏡処置具１０は、把持具１１と、この把持具１１の一対の爪部１２，１３の結合部分である基部１４に接続された極細の糸１５とからなる。この把持具１１は、病変部の把持を行うためのものであり、例えばオリンパス光学株式会社よりクリップ（商品名：ＨＸ−６００−０９０）として市販されているものの表面をプラズマＣＶＤ法により窒化硅素からなる絶縁被膜を形成したものを用いた。なお、この絶縁皮膜としては窒化硅素だけでなく酸化硅素からなるものも使用でき、また、プラズマＣＶＤ法による窒化硅素又は酸化硅素からなる絶縁被膜の形成方法は、例えば液晶表示パネルや半導体素子の製造分野で普通に採用されており、周知のものであるのでその詳細な説明は省略する。
【００３１】
この把持具１１のうち留置部１１'は、基部１４で互いに結合された一対の爪部１２、１３と、これらの爪部１２、１３と基部１４との間の周囲に移動可能に設けられた押えリング１６とから構成されている。爪部１２、１３は、先端部分が互いに相手の爪部に向かって屈曲されており、これらの屈曲された先端部分１２ａ、１３ａは押えリング１６の操作により開閉自在となっている。すなわち、爪部１２、１３は、長さ方向の中間部分が交差し、交差部分よりも後端側が相互に離れる方向に湾曲されて作用部１２ｂ、１３ｂとなっており、この作用部１２ｂ、１３ｂの更に後端側は互いに結合されて基部１４となり、この基部１４は、極細の糸１５が結びつけられているとともに、押えリング１６内に挿入されている。
【００３２】
この押えリング１６及び爪部１２、１３は、互いに移動可能に組み付けられており、押えリング１６が相対的に爪部１２、１３の先端部分に向かって移動すると、押えリング１６が作用部１２ｂ、１３ｂを覆った際には爪部１２、１３の先端部分１２ａ、１３ａが開かれ、更に押えリングが爪部１２、１３の先端部分１２ａ、１３ａまで覆うと逆に爪部１２、１３が外側から押え付けられる。これにより爪部１２、１３の先端部分１２ａ、１３ａが閉じた状態を維持することができる。そして、この状態では基部１４が押えリング１６の端部から露出する。
【００３３】
一方、爪部１２、１３の基部１４は、押えリング６内を通されている連結板１７の一方側の端部に設けられた切り欠き孔１８に取り外し可能に嵌合されて把持具１１が構成される。この連結板１７は押えリング１６よりも長さが長く、基部１４が押えリング１６内の端部に位置するとき、連結板１７の反対側の端部に設けられた係合孔１９が押えリング１６の端部より露出するようになっている。そして、爪部１２、１３の基部１４に接続された極細の糸１５は、押えリング１６内を通って外部へ伸びている。
【００３４】
この把持具１１及び極細の糸１５からなる実施例の内視鏡処置具１０は、図３に示したような取付具２０を使用して次のようにして病変部に把持される。なお、図３は取付具２０の一部拡大斜視図であり、左端の先端部が拡大表示されている。この取付具２０は、挿入部２１及び操作部２２とからなる。挿入部２１の先端部には把持具１１を保持するための固定部材２３とその先端部に前記把持具１１の連結板１７に設けられた係合孔１９に連結するためのピン２４を備えており、この固定部材２１の後端部は操作ワイヤ２５が接続されている。この操作ワイヤ２５はコイルシースからなる第１の可撓性シース２６内を通され、操作部２２のチューブ継手２７内を通ってスライダ２８に接続されており、このスライダ２８により操作ワイヤ２５を介して固定部材２３の移動及び回転を制御できるようになっている。
【００３５】
また、第１の可撓性シース２６はチューブ継手２７及びスライダ２８内を通ってリング３０に結合されている。更に、第１の可撓性シース２６の外側は合成樹脂製シースからなる第２の可撓性シース２９で被覆されており、この第２の可撓性シース２９は操作部２２のチューブ継手２７に接続され、このチューブ継手２７によって第２の可撓性シース２９の移動及び回転を制御できるようになっている。そしてこの実施例で使用したチューブ継手２７には、極細の糸を通すための孔３１が設けられている。
【００３６】
この取付具２０に把持具１１及び極細の糸１５からなる内視鏡処置具１０を取り付ける操作は次のようにして行われる。まず最初に、操作部２２のスライダ２８及びリング３０を同時に引き抜くことにより、固定部材２３、操作ワイヤ２５及び第１の可撓性シースをチューブ継手２７より引き抜く。次いで、図示しない先端に微細な針孔を有する細い弾性ワイヤをチューブ継手２７に設けられた孔３１から挿入してチューブ継手２７のスライダ側の開口より突き出させ、この状態で把持具１１に固定された極細の糸１５の一端を通した後、弾性ワイヤを引き抜く。そうすると、把持具１１に固定された極細の糸１５の一端はチューブ継手２７に設けられた孔３１から引き出される。
【００３７】
その後、把持具１１の連結板１７の端部に設けられている係合孔１９を固定部材２３のピン２４に合わせて嵌め込み、その後把持具１１を先端側に軽く引くと把持具１１は固定部材２３に固定される。次いで、スライダ２８をリング３０側に移動させると、操作ワイヤ２５及び固定部材２３が第１の可撓性シース２６内に引き込まれ、把持具１１の押えリング１６が第１の可撓性シース２６の先端部に嵌合して固定される。この状態では把持具１１の爪部の先端部分１２ａ、１３ａは僅かに閉じた状態となる。そして、この状態で、把持具１１が固定された固定部材２３、操作ワイヤ２５及び第１の可撓性シース２６を一体的にチューブ継手２７内に挿入し、チューブ継手２７がスライダ２８と離間するように移動させると、把持具１１は第２の可撓性シース２９の先端から露出せずに第２の可撓性シース２９内に挿入された状態となる。
【００３８】
そして、予め体腔内に挿入された内視鏡３２の鉗子挿入口（図示せず）より取付具２０の挿入部２１を挿入して内視鏡３２の先端部３４から突き出させ、内視鏡３２の視野内に入るようにして、病変部５１の近傍にまで誘導する。そして、病変部５１の近傍でチューブ継手２７を引っ張ることによりチューブ継手２７とスライダ２８とが隣接する状態とすると、第２の可撓性チューブ２９が引き上げられて把持具１１が露出する。このとき把持具１１内の爪部１２、１３の基部１４に接続された極細の糸１５は、押さえリング１６内を経て第１の可撓性シース２６と第２の可撓性シース２９との間を通って操作部２２のチューブ継手２７に設けられた糸用の孔３１を経て外部に延びた状態となっている。
【００３９】
ここで、更にスライダ２８をゆっくりリング側３０へ移動させると、把持具１１の押えリング１６が爪部の作用部１２ｂ、１３ｂを押圧するため、把持具１１の爪部の先端部分１２ａ、１３ａは大きく開く。この状態で、把持具１１の爪部の先端部１２ａ、１３ａを病変部５１の把持すべき部分に押し当て、更にスライダ２８をゆっくり引くと、把持具１１の押えリング１６が爪部の先端部１２ａ、１３ａの近傍まで押圧するようになるため、爪部の先端部１２ａ、１３ａは、病変部５１に食い込み、病変部５１を把持する。それとともに、基部１４及び連結板１７の切り欠き孔１８が露出するので、操作部２２を操作することにより連結板１７を爪部１２、１３の基部１４から外すことができ、病変部５１には把持具１１の爪部１２、１３及び押さえリング１６のみからなる留置部１１'が固定されたままとなる。
【００４０】
そして、チューブ継手２７、スライダ２８及びリング３０を同時に引き抜くことにより、連結板１７が保持された固定部材２３、操作ワイヤ２５、第１の可撓性シース２６及び第二の可撓性シース２９を引き抜く。そうすると、図４に示すように、留置部１１'から延びている極細の糸１５は内視鏡３２の鉗子孔３７内を通って図示しない鉗子挿入口より外部に伸びた状態となる。なお、図４は病変部５１近傍の内視鏡３２の先端部付近の状態を表した概要図であり、符号３５は観察窓、符号３６は照明窓、符号３７、３８はそれぞれ鉗子孔を示すが、これらの構成は全て周知のものであるため、詳細な説明は省略する。
【００４１】
この状態で、外部より極細の糸１５を引くことにより留置部１１'を持ち上げ、病変部５１を持ち上げることもできるが、病変部５１が大きくて複数箇所で持ち上げる必要がある場合は上述の操作を繰り返せばよい。この際、引き抜いた内視鏡処置具に別の把持部を取り付けて再使用してもよいが、別途予め把持具１１を固定部材２３に取り付けた内視鏡処置具２０を必要数用意しておき、交換使用すると処置時間を短縮できるために望ましい。このようにして一つの鉗子孔３７を介して複数個の留置部１１'により病変部５１を把持することができるとともに、複数個の留置部１１'から延びている複数本の極細の糸１５も鉗子孔３７を通って鉗子挿入口より外部に伸びた状態とすることができる。この状態で外部からそれぞれの極細の糸１５を引っ張ると、病変部５１はテント状に上方に隆起される。そこで、従来例の場合と同様にして、内視鏡３２の別の鉗子挿入口３８からＩＴナイフ５７、スネア等を挿入し、病変部５１の切開、剥離を行う。
【００４２】
なお、病変部５１の位置と極細の糸１５の延在している方向との関係から、極細の糸１５を外部から引いても病変部５１を望ましい方向に隆起させることができない場合が生じる。この場合は、先端部が所定角度だけ曲げられた可撓性シース２９'が取り付けられたチューブ継手２７を用意し、可撓性シース２９'の先端から鉗子挿入口より外部に伸びた状態の複数本の極細の糸１５の全てを通してチューブ継手２７のスライダ側の開口より取り出す。そして、この先端部が曲げられた可撓性シース２９'を再度内視鏡３２の鉗子挿入口より挿入して先端部が曲げられた可撓性シース２９'の先端部が内視鏡３２の鉗子孔３７から突き出るようにする。次いで、チューブ継手２７を回転させることにより、図５に示すように、先端部が曲がっている可撓性シース２９'の先端部が病変部５１から離れる方向、より具体的には可撓性シース２９'の先端部が病変部５１を隆起させようとする方向に位置するようにする。この状態で外部からそれぞれの極細の糸１５を引っ張ると、病変部５１はテント状に上方に隆起される。そこで、内視鏡３２の別の鉗子挿入口３８からＩＴナイフ５７を挿入し、病変部５１の切開、剥離を行う。なお、この可撓性シース２９'としては、ワイヤーアクションにより先端部の角度を自在に付けることが可能なものを使用することもでき、この場合には病変部５１の隆起を更に容易に行うことができるようになる。
【００４３】
また、この実施例では、複数個の留置部１１'を用いており、それぞれの留置部１１'に接続されている複数本の極細の糸１５は互いに独立して内視鏡３２の鉗子孔３７内を通って、チューブ継手２７のチューブ継手２７のスライダ側の開口から外部へ取り出されているから、それぞれの留置部１１'と極細の糸とを１：１に対応させるため、それぞれの留置部１１'の押さえリング１６に識別のための表示を行うとともに、極細の糸１５もそれに対応した識別ができるようにすることが好ましい。この識別のための表示としては、異なる着色による識別、異なる数字やシンボルによる識別等、適宜の手段を用いることができる。着色による識別の場合には、押えリング１６の着色と極細の糸１５に対する着色を同じにすることによりに行うことができ、数字識別の場合には、押えリング１６に番号を付しておくとともに極細の糸１７における術者側に対応番号を付けたコッヘルを挟んでおくことにより行うことができる。
【００４４】
なお、上述の実施例では全て２つの鉗子孔３７、３８を備える内視鏡（２−チャンネルファイバー）を用いた場合を示したが、鉗子孔が１つの通常の内視鏡を使用する場合には、別途第２の可撓性シース２９よりも直径が大きい可撓性シースを通常の内視鏡に沿って配置し、両者をテープにより固定することにより２−チャンネルファイバーを用いたときと同様の処置を行うことが可能となる。
【００４５】
上述の実施例によれば、簡単な操作で病変部５１全体の隆起を行うことができるため、筋層５４穿孔することなく安全に、病変部５１全体を残存部がないように切除することができる。更に、複数の把持具を一本の内視鏡３２の鉗子孔３７内を順番に通して複数の把持具により病変部を把持することができるため、複数の把持具を個々に押し出すための鉗子孔を複数設ける必要がない。このため、内視鏡３２を太くする必要がなく、患者に与える苦痛を軽減させることができる。
【００４６】
また、切除した病変部５１については、これを複数の留置部１１'が把持した捕獲状態となっているため、そのまま内視鏡３２を体腔内から引き抜くことにより病変部５１を体外に取り出すことができる。このため、切除後に別途病変部５１の捕獲操作が不要となり、手術が簡単となるばかりでなく、手術時間を短縮することができる。更に、病変部５１が大きい場合においては、病変部５１を複数の留置部１１'がそれぞれ把持している部分に分けるように切断することができるため、大きな病変部５１への対応も柔軟に行うことができる。
【図面の簡単な説明】
【００４７】
【図１】実施例の内視鏡処置具の分解斜視図である。
【図２】実施例の内視鏡処置具の組立後の斜視図である。
【図３】図２の内視鏡処置具を使用するための取付具の一部拡大斜視図である。
【図４】実施例によって病変部を切除する際における病変部の把持状態を示す斜視図である。
【図５】病変部を切除する際の病変部の吊り上げ状態を示す斜視図である。
【図６】ＩＴナイフによって病変部を切除する状態を示す斜視図である。
【図７】図７（ａ）〜図７（ｄ）は従来の病変部を切除中の操作を示す斜視図である。
【図８】図７（ｂ）のＡ−Ａ断面図である。
【図９】図７（ｃ）のＢ−Ｂ断面図である。
【図１０】従来例の胃内における磁気アンカー誘導装置の使用状況を示す図である。
【図１１】別の従来例の内視鏡治療装置の斜視図である。
【符号の説明】
【００４８】
１０    内視鏡処置具
１１    把持具
１１'    把持具の留置部
１２、１３    爪部
１２ａ、１３ａ    爪部の先端部分
１２ｂ、１３ｂ    爪部の作用部
１４    基部
１５    極細の糸
１６    押さえリング
１７    連結板
１８    切り欠き孔
１９    係合孔
２０    取付具
２１    挿入部
２２    操作部
２３    固定部材
２４    ピン
２５    操作ワイヤ
２６    第１の可撓性シース
２７    チューブ継手
２８    スライダ
２９    第２の可撓性シース
２９'    先端部が曲げられた第２の可撓性シース
３０    リング
３１    糸用の孔
３２    内視鏡
３３    鉗子挿入口
３４    内視鏡の先端
３５    観察窓
３６    照明窓
３７、３８    鉗子孔
５１    病変部
５２    マーキング
５３    粘膜層
５４    筋層
５７    ＩＴナイフ
【図１】
2007143869.tif 000003
【図２】
2007143869.tif 000004
【図３】
2007143869.tif 000005
【図４】
2007143869.tif 000006
【図５】
2007143869.tif 000007
【図６】
2007143869.tif 000008
【図７】
2007143869.tif 000009
【図８】
2007143869.tif 000010
【図９】
2007143869.tif 000011
【図１０】
2007143869.tif 000012
【図１１】
2007143869.tif 000013